(57)【要約】【課題】杖を身体より離れないように支持させて、杖の置き忘れと、転んだ杖を拾い上げる苦労とが解消される杖用ストラップを提供すること。【解決手段】杖２を体から離れないように支持させる杖用ストラップ１であって、このストラップ１は、杖２の上部へ離脱しないように取付ける取付部材３と、衣服４等へ自然離脱しないように取付けるクリップ５と、このクリップ５と上記取付部材３とを連結する連結部材６とで構成されていること。【選択図】  図１
2006034434.tif 000002
【特許請求の範囲】
【請求項１】
杖やステッキを身体から離れないように支持させる杖用ストラップであって、
このストラップは、杖の上部へ離脱しないように取付けた取付部材と、
衣服等へ自然離脱しないように取付けるクリップと、
このクリップと上記取付部材とを連結する連結部材とで構成されている
ことを特徴とする杖用クリップ。
【請求項２】
上記クリップと取付部材を連結する連結部材が、伸縮性を有する部材で形成されている
ことを特徴とする請求項１に記載の杖用ストラップ。
【発明の詳細な説明】
【技術分野】
【０００１】
本発明は、手を離しても杖が身体に支持されている杖用ストラップに関する。
【背景技術】
【０００２】
従来、杖用のストラップは、握り部へ保持部材で手提げ紐を取り付けて、この手提げ紐を手へ掛けるようにしている。（例えば特許文献１参照）
【特許文献１】実用新案登録第３０５９９５５号（第５頁、図２）
【０００３】
しかしながら、手提げ紐を手へ掛けるものは、邪魔になるため手提げ紐を手より外すときは、杖が身体より離れるため杖を置き忘れ易くて、しかも、手提げ紐を手より外すと杖が倒れてしまい拾い上げるのに屈まなければならず苦労する問題点がある。
【発明の開示】
【発明が解決しようとする課題】
【０００４】
本発明は、前記問題点を解消し、杖を身体より離れないように支持させて、杖の置き忘れや、倒れた杖を拾い上げる苦労が解消される杖用ストラップを提供することをその課題とする。
【課題を解決するための手段】
【０００５】
前記課題を解決するため本発明に係る杖用ストラップは、以下の構成を採用することを特徴とする。
【０００６】
杖やステッキが体から離れないように支持させる杖用ストラップであって、このストラップは、杖の上部へ離脱しないように取付ける取付部材と、衣服等へ自然離脱しないように取付けるクリップと、このクリップと上記取付部材とを連結する連結部材によって構成されていること。
【０００７】
なお、上記クリップと取付部材とを連結する連結部材を伸縮性を有する部材によって構成することが好ましい。
【発明の効果】
【０００８】
請求項１の発明によれば、杖が杖用ストラップで腰の近くに支持されているため、置いた杖を忘れていても杖が身体について来て置き忘れることがなく、また、手から杖が離れても倒れずに腰の近くに支持されているので、倒れた杖を屈んで拾い上げる苦労がなくなる。
【０００９】
請求項２の発明によれば、連結部材を伸縮材で形成すれば、連結部材を杖の上部が腰の近くに置かれる長さにしても、段差の昇降などで杖を大きく動かす必要がある時は、連結部材が伸びて杖捌きを妨げることがない。
【発明を実施するための最良の形態】
【００１０】
杖やステッキを身体から離れないように支持させる杖用ストラップであって、このストラップを、杖の上部へ取付ける取付部材と、衣服等へ自然離脱しないように取付けるクリップと、このクリップと上記取付部材とを連結する連結部材とで構成し、上記連結部材を
【実施例１】
【００１１】
図１において符号１は、杖用ストラップを示すものであり、この杖用ストラップ１は、杖２が身体から離れないように支持させるものであって、杖２の上部へ離脱しないように取付けた取付部材３と、衣服４等へ自然離脱しないように取付けるクリップ５と、このクリップ５と上記取付部材３とを連結する連結部材６とで構成されている。
【００１２】
上記杖２は、公知の杖、ステッキや松葉杖等であって、本実施例では上部に図７に示す通りの握部７が設けられた杖で構成され、下部には必要に応じて石突８が取り付けられていればよい。なお、握部７はＴ型に限定されるものではなく直状のものであってもよい。
【００１３】
取付部材３は、図２に示す巻着け式の場合は、図４（ａ）のようにループ９を有する面ファスナー１０と、図４（ｂ）のようにフック１１を有する面ファスナー１２とを用いて、その一方の面ファスナー１０の一端を図５に示す通り枠金１３の一方へ取付け、他方の面ファスナー１２を枠金１３の他方へ取付ける。そして、ループ９を有する面ファスナー１０の裏面に両面接着テープ１４を接着し、この接着テープ１４で面ファスナー１０を杖２の上部へ接着すると、この面ファスナー１０に面ファスナー１２を面ファスナー１０へ添え着けて、ループ９とフック１１とを掛り合わせて面ファスナー１０と面ファスナー１２を結合して、杖２から離脱することがない取付部材３を構成させる。
【００１４】
また、取付部材３は、図３に示す通りのクリップ式でもよい。このクリップ式の取付部材３は、杖２を掴む一対の挟持片１５と１６と、操作片１７と１８を一体に形成して、挟持片と操作片との間に設けて重ならせた枢着部１９と２０を軸２１によって枢着する。こうすると挟持片１５と１６は開閉自在に連結されて、軸２１にコイル部２２ａを嵌合したバネ２２の両脚２２ｂと２２ｃで閉じられると、先端部１５ａと１６ａが図３に示す通り重なり合って離脱しない構成としてある。
【００１５】
衣服４等を自然離脱を生じないように挟持させるクリップ５は、図６に示す通り一対の挟持部材２３と２４を枢軸２５で開閉自在に連結して、両挟持部材２３と２４に衣服の挟持爪２６と２７を互い違いに設けるとともに、バネ２８で開くように付勢し、また、一方の挟持片２３には他方の挟持片２４へ作用する作用部材２９を軸３０で取り付けた特開２００３−７４５２２号公報に記載される通りのロック機構を備えたクリップ等を用いることが好ましい。
【００１６】
取付部材３とクリップ５とを連結する連結部材６は、杖２を使用者の腰の近くに保持して置くのに適当な長さに形成して、段差のある所等を昇降するため連結部材６の長さを増す必要があるときに対処して、図１に示すコイルバネか、図面には示してないゴム条等の伸縮する材料で形成する。そして、その両端に掛環３１と３２を設け、一方の掛環３２をクリップ５の作用部材２９に図６に示す通り設けた孔３３へ掛け、他方の掛環３１を面ファスナーを用いた取付部材３の枠金１３へ取付けたリング３３へ掛け外しする係脱具３４の受環３５へ掛けるようにするものであって、取付部材３が図３に示す通りのクリップ式の場合は、掛輪３１をクリップにおける操作片１８へ図３に示す通りあけた孔３６へ係合させるようにする。
【００１７】
上記構成の杖用ストラップ１は、連結部材６の一端に取付けた取付部材３を杖２の上部へ離脱しないように取り付け、他端に取付けたクリップ５を使用者の衣服４等の腰へ近い部分へ取付けて置く。すると、杖２から手を離して図７のようにベンチ３７等へ腰掛けた場合でも、杖２は連結部材６によって衣服４等へつなぎ止められている。従って、杖２の存在を忘れて移動しても、杖２は連結部材６に引かれて身体についてくる。このために杖２を置き忘れることはない。また、杖２が手から放れることがあっても、杖２は連結部材６で腰の近くに支持されていて倒れることはないので、倒れた杖２を腰を屈めて拾い上げる苦労もなくなる。
【図面の簡単な説明】
【００１８】
【図１】杖用ストラップの一部分を省略して示す平面図。
【図２】面ファスナーを用いて巻着けにより杖へ固定する取付部材の平面図。
【図３】クリップ式の取付部材を示す平面図。
【図４】（ａ）（ｂ）は取付部材を構成する２種類の面ファスナーを示す側面図。
【図５】２種の面ファスナーで杖への取付部材を構成する状態を示す説明図。
【図６】クリップの構造を説明する側面図。
【図７】杖用ストラップで杖が身体に支持されている状態の説明図。
【符号の説明】
【００１９】
１  杖用ストラップ
２  杖
３  取付部材
４  衣服等
５  クリップ
６  連結部材
【図１】
2006034434.tif 000003
【図２】
2006034434.tif 000004
【図３】
2006034434.tif 000005
【図４】
2006034434.tif 000006
【図５】
2006034434.tif 000007
【図６】
2006034434.tif 000008
【図７】
2006034434.tif 000009